(57)【要約】【目的】鋳造物に付着した不用物を切断除去するトリミングプレス装置であって、一台の設備で鋳造物の複数面の不用物切断除去を可能とし、設置スペースを小さくするとともに、設備コストも低減する。【構成】鋳造物（ワーク）１に付着した不用物３を切断除去するトリミングプレス装置であって、ワーク１を固定して位置決めする保持治具２と、位置決めされたワーク１から不用物３を切断除去するトリミングプレスカッター４とを備えたトリミングプレス装置において、ワーク１を１８０度反転する反転機構Ｂを備え、かつ、トリミングプレスカッター４が入れ替え自在な複数のカッター４、４・・・４を備えてなり、このうちの任意のカッター４の入れ替えにより一台の設備でワーク１の複数面の不用物３の除去を可能としたことから構成される。【選択図】　　　図１
2004074266.tif 000002
【特許請求の範囲】
【請求項１】
鋳造物に付着した不用物を切断除去するトリミングプレス装置であって、鋳造物を固定して位置決めする保持治具と、位置決めされた鋳造物から不用物を切断除去するトリミングプレスカッターとを備えたトリミングプレス装置において、前記鋳造物を１８０度反転する反転機構を備え、かつ、前記トリミングプレスカッターが入れ替え自在な複数のカッターを備えてなり、このうちの任意のカッターの入れ替えにより一台の設備で鋳造物の複数面の不用物除去を可能としたことを特徴とするトリミングプレス装置。
【請求項２】
請求項１において、トリミングプレスカッターが回転自在な筒状プレスカッターインデックスユニットの周面に沿って複数個並列され、この筒状のユニットをインデックス方式で回転することにより、任意のカッターに入れ替え自在とした請求項１に記載のトリミングプレス装置。
【請求項３】
請求項１において、保持治具が回転自在な筒状治具インデックスユニットの周面に沿って並列された複数の保持治具を備え、この筒状のユニットをインデックス方式で回転することにより、任意の保持治具に入れ替え自在とした請求項１に記載のトリミングプレス装置。
【発明の詳細な説明】
【０００１】
【発明の属する技術分野】
本発明はアルミ等を鋳造加工して得られる自動車部品等の各種鋳造物（ワーク）からバリ等の不用物を切断除去するトリミングプレス装置に係り、特に、鋳造物の複数面に付着されている不用物を一台の設備で切断除去するトリミングプレス装置に関する。
【０００２】
【従来の技術】
自動車部品等、各種機械部品、例えば、自動車のシリンダーヘッド、シリンダーブロック、インテークマニホール等はアルミニウム等の金属を鋳造加工して製造される。この鋳造によって得られる鋳造物には中子砂、湯口、押し湯、バリ等の不用物が付着しているため、この不用物を鋳造物から切断除去する必要がある。
【０００３】
この種の不用物切断除去装置として、従来、鋳造物に付着した不用物を切断除去するトリミングプレス装置が知られている。例えば、不用物の切断除去を必要とする加工面毎に鋳造物を固定し、位置決めする保持治具と、位置決めされた鋳造物の加工面から不用物を切断除去する専用のトリミングプレスカッターとを備えた装置が知られている。
【０００４】
【発明が解決すべき課題】
しかし、この装置では、不用物除去が必要な加工面の数だけトリミングプレス装置の台数が必要となる。例えば、自動車のシリンダーヘッドの場合、通常、上面側と下面側の二方向からのトリミングプレスが必要である。このため、トリミングプレス装置が２台と、鋳造物を１８０度反転させる装置が必要となり、大きな設置スペースと、大きな設備コストを必要としていた。
【０００５】
そこで、本発明の目的は鋳造物の複数面に付着されている不用物を一台の設備で切断除去し得、このため設備スペースを小さくするとともに、設備コストをも低減し、上述の公知技術に存する欠点を改良したトリミングプレス装置を提供することにある。
【０００６】
【課題を解決するための手段】
上述の目的を達成するため、本発明によれば、鋳造物に付着した不用物を切断除去するトリミングプレス装置であって、鋳造物を固定して位置決めする保持治具と、位置決めされた鋳造物から不用物を切断除去するトリミングプレスカッターとを備えたトリミングプレス装置において、前記鋳造物を１８０度反転する反転機構を備え、かつ、前記トリミングプレスカッターが入れ替え自在な複数のカッターを備えてなり、このうちの任意のカッターの入れ替えにより一台の設備で鋳造物の複数面の不用物除去を可能としたことを特徴とする。
【０００７】
【発明の実施の態様】
以下、本発明を添付図面を用いて詳述する。
【０００８】
図１は本発明にかかるトリミングプレス装置の正面図であり、図２は本発明装置におけるトリミングプレス機構の側面図である。
【０００９】
図１に示されるように、本発明装置はトリミングプレス機構Ａと、鋳造物（ワーク）を１８０度反転するワーク反転機構Ｂとを備えて構成される。
【００１０】
トリミングプレス機構Ａは図１および図２に示されるように、ワーク１を固定して位置決めする保持治具２と、位置決めされたワーク１から不用物３を切断除去するトリミングプレスカッター４とを備える。このトリミングプレスカッター４は入れ替え自在な複数のカッター、例えば、図１では４個のカッター４、４・・・４を備え、このうちの任意のカッター４、４・・・４の入れ替えにより、一台の設備でワーク１の複数面の不用物除去を可能とする。
【００１１】
上述のトリミングプレスカッター４、４・・・４は円形あるいは四角形等の回転自在な筒状プレスカッターインデックスユニット５の周面６に沿って、例えば四個並列され、このユニット５をインデックス方式により減速モーター７で矢印方向に回転することにより任意のカッター４、４・・・４に入れ替え自在である。
【００１２】
保持治具２もまた、図１および図２に示されるように、入れ替え自在な複数の保持治具、例えば、図１では４個の保持治具２、２・・・２を備え、このうちの任意の保持治具２、２・・・２の入れ替えにより、また、後述のワーク反転機構Ｂの稼動により複数のワーク１、１・・・１のそれぞれの複数の加工面を一台の設備で切断除去処理できる。
【００１３】
上述の保持治具２、２・・・２は円形あるいは四角形等の回転自在な筒状保持治具インデックスユニット８の周面９に沿って、例えば四個並列され、このユニット８をインデックス方式により減速モーター１０で矢印方向に回転することにより任意の保持治具２、２・・・２に入れ替え自在である。
【００１４】
ワーク反転機構Ｂは保持治具２上のワーク１をワーク把持ハンド１１に挟んで裏返すように作動する。このとき、保持治具２上にワーク１は反転され、上側および下側の両側から不用物３が切断除去される。
【００１５】
上述の構成からなる本発明にかかるトリミングプレス装置は次のように操作される。まず、図示しないワーク搬送装置により、ワーク１を筒状保持治具インデックスユニット８の保持治具２上に搬送し、載置固定して位置決めの後、治具引込機構１２の作動により、ワーク１をトリミングプレス位置に引き込む。
【００１６】
次いで、トリミングプレス昇降駆動ユニット１３を作動させ、カッター昇降駆動ボールスクリユー１４を介して筒状プレスカッターインデックスユニット５を下降してワーク１の不用物３を切断除去する。その後、ユニット５を上昇させるとともに、ワーク反転機構Ｂの作動により、保持治具２上のワーク１を反転し、再度ユニット５を下降して不用物３を切断除去する。
【００１７】
トリミングプレスカッター４、４・・・４の選択ないし切換はインデックス方式により減速モーター７を駆動して筒状プレスカッターインデックスユニット５を矢印方向に回転することにより行い、かつ、保持治具２、２・・・２上のワーク１、１・・・１の選択ないし切換もまた、インデックス方式により減速モーター１０を駆動して筒状保持治具インデックスユニット８を矢印方向に回転し、所望の保持治具２を選択することにより行う。１５はフレームである。
【００１８】
【発明の効果】
以上のとおり、本発明は鋳造物に付着した不用物を切断除去するトリミングプレス装置であって、鋳造物を固定して位置決めする保持治具と、位置決めされた鋳造物から不用物を切断除去するトリミングプレスカッターとを備えたものにおいて、鋳造物を１８０度反転する反転機構を備えるとともに、入れ替え自在な複数のトリミングカッターを備えたから、任意のカッターの入れ替えにより一台の設備で鋳造物の複数面の不用物除去が可能である。
【図面の簡単な説明】
【図１】本発明にかかるトリミングプレス装置の正面図である。
【図２】本発明装置におけるトリミングプレス機構の側面図である。
【符号の説明】
Ａ　トリミングプレス機構
Ｂ　ワーク反転機構
１　ワーク
２　保持治具
３　不用物
４　トリミングプレスカッター
５　筒状プレスカッターインデックスユニット
６　周面
７　減速モーター
８　筒状保持治具インデックスユニット
９　周面
１０　減速モーター
１１　ワーク把持ハンド
１２　治具引込機構
１３　トリミングプレス昇降駆動ユニット
１４　カッター昇降駆動ボールスクリュー
１５　フレーム
【図１】
2004074266.tif 000003
【図２】
2004074266.tif 000004